(57)【要約】  系統１０と並列した連系運転、又は解列した自立運転を行うことにより、負荷４００に電力を供給できる複数の分散型電源システムを有する。ＳＯＦＣシステム３００は、負荷４００に供給される電力状態の異常を検出する。ＳＯＦＣシステム３００は、自立運転時における異常検出の条件を、連系運転時よりも緩和する。
2013061826.tif 000002
【特許請求の範囲】
【請求項１】
商用電力系統と並列した連系運転、又は解列した自立運転を行うことにより、負荷に電力を供給できる複数の分散型電源システムを有し、
前記複数の分散型電源システムのうちのいずれかは、前記負荷に供給される電力状態の異常を検出する異常検出部を有し、
前記異常検出部は、前記自立運転時における異常検出の条件を、前記連系運転時よりも緩和する、
ことを特徴とする給電システム。
【請求項２】
前記異常検出部は、複数の分散型電源システムのうちの少なくともいずれかの単独運転を防止するために、前記負荷に供給される電力の異常を検出する
ことを特徴とする請求項１に記載の給電システム。
【請求項３】
前記異常検出部は、前記負荷に供給される電力状態の異常が検出された後に前記自立運転が行われる場合に、前記連系運転時よりも異常検出の条件を緩和する、
ことを特徴とする請求項１に記載の給電システム。
【請求項４】
前記異常検出部は、前記連系運転時において第１の異常検出パラメータを使用して、異常検出を行い、前記自立運転時においては前記第１の異常検出パラメータよりも緩和された第２の異常検出パラメータを、前記第１の異常検出パラメータに代えて使用する
ことを特徴とする請求項１に記載の給電システム。
【請求項５】
前記複数の分散型電源システムの動作状態を管理する管理装置を有し、
前記異常検出部を有する分散型電源システムは、
前記異常検出部が異常を検出した場合に、前記管理装置に対して異常発生通知を送信する異常発生通知部を含むことを特徴とする請求項１に記載の給電システム。
【請求項６】
前記商用電力系統からの電力ライン上に設けられた遮断器を有し、
前記管理装置は、
前記異常発生通知を受信した後、前記複数の分散型電源システム及び前記負荷を前記商用電力系統から電気的に切り離すように前記遮断器を制御する遮断器制御部を含むことを特徴とする請求項５に記載の給電システム。
【請求項７】
前記異常検出部を有する分散型電源システムは、
前記異常検出部が異常を検出した場合に、自システムからの電力の出力を停止する出力制御部を含む
ことを特徴とする請求項６に記載の給電システム。
【請求項８】
前記管理装置は、
前記遮断器制御部が前記遮断器を制御した後、前記異常検出部を有する分散型電源システムに、電力の出力を再開させるための情報を送信する送信部を含む
ことを特徴とする請求項７に記載の給電システム。
【請求項９】
前記管理装置は、
前記異常発生通知を受信した後、前記自立運転における異常検出の条件として、前記連系運転時よりも緩和した条件を指定するためのパラメータ情報を、前記異常検出部を有する分散型電源システムに対して送信する制御を行う制御部を含む
ことを特徴とする請求項５に記載の給電システム。
【請求項１０】
前記複数の分散型電源システムは、太陽電池システムを含み、
前記制御部は、前記太陽電池システムの予測発電量に応じて、前記自立運転時における異常検出の条件を決定することを特徴とする請求項９に記載の給電システム。
【請求項１１】
前記自立運転時における異常検出の条件は、前記太陽電池システムの予測発電量が少ないときほど、前記緩和の度合いが大きくなるように決定されることを特徴とする請求項１０に記載の給電システム。
【請求項１２】
前記負荷は、複数設けられており、
前記管理装置は、
前記異常発生通知を受信した後、前記複数の負荷毎に電力供給を制御する電力供給制御部を含む
ことを特徴とする請求項５に記載の給電システム。
【請求項１３】
前記電力供給制御部は、前記複数の負荷へ供給可能な電力量と、前記複数の負荷が必要とする電力量とに応じて、前記複数の負荷のうち選択した負荷への電力供給を停止するよう制御する
ことを特徴とする請求項１２に記載の給電システム。
【請求項１４】
前記異常検出部を有する分散型電源システムは、燃料電池システムであることを特徴とする請求項５に記載の給電システム。
【請求項１５】
商用電力系統と並列した連系運転、又は解列した自立運転を行うことにより、負荷に電力を供給できる分散型電源と、
前記連系運転時において、前記負荷に供給される電力状態の異常を検出する異常検出部と、を有し、
前記異常検出部は、前記負荷に供給される電力状態の異常が検出された後に前記自立運転が行われる場合には、前記連系運転時よりも異常検出の条件を緩和する、ことを特徴とする分散型電源システム。
【請求項１６】
商用電力系統と並列した連系運転、又は解列した自立運転を行うことにより、負荷に電力を供給できる分散型電源システムの動作状態を管理する管理装置であって、
前記負荷に供給される電力状態の異常を検出する異常検出部を有し、
前記異常検出部は、
前記分散型電源システムの前記自立運転時における異常検出の条件を、前記連系運転時よりも緩和する、
ことを特徴とする管理装置。
【請求項１７】
商用電力系統と並列した連系運転、又は解列した自立運転を行うことにより、負荷に電力を供給できる分散型電源システムを有する給電システムにおける制御方法であって、
前記負荷に供給される電力状態の異常を検出するステップを有し、
前記自立運転時における異常検出の条件を、前記連系運転時よりも緩和する、
ことを特徴とする制御方法。
【発明の詳細な説明】
【技術分野】
【０００１】
本発明は、分散型電源を用いて負荷に電力を供給するための給電システム、分散型電源システム、管理装置、及び給電制御方法に関する。
【背景技術】
【０００２】
近年、電力の需要家において、商用電力系統（以下、適宜「系統」と称する）の補助電源として、系統と並列した連系運転により負荷に電力を供給できる分散型電源システム（燃料電池システムや太陽電池システムなど）の導入が進んでいる。分散型電源システムは、分散型電源及びパワーコンディショナを含む。【０００３】
また、系統の停電時において、系統と解列した自立運転によって負荷に電力を供給できる分散型電源システムも知られている。【０００４】
一方、連系運転が可能な分散型電源システムは、系統の停電時において当該分散型電源システムの出力電力が系統に逆潮流可能な状態（すなわち、単独運転）を防止する必要がある。【０００５】
よって、負荷への供給電力の異常（例えば、系統の停電又は系統電力の不安定状態など）を検出して電力の出力を停止する単独運転防止機能を有する分散型電源システムが知られている（例えば、特許文献１参照）。
【先行技術文献】
【特許文献】
【０００６】
【特許文献１】特開２００７−２０９０９７号公報
【発明の概要】
【０００７】
しかしながら、系統の停電等の異常時において、分散型電源システムが同時に自立運転を行う場合、分散型電源システムの出力電力は系統の電力に比べて不安定であることから、上述した単独運転防止機能が作動し、負荷への電力供給が停止する可能性がある。
【０００８】
そこで、本発明は、系統の停電等の異常時において分散型電源システムが自立運転を行う場合でも、負荷への電力供給が停止する可能性を低減できる給電システム、分散型電源システム、管理装置、及び給電制御方法を提供することを目的とする。
【０００９】
本発明の給電システムは、商用電力系統と並列した連系運転、又は解列した自立運転を行うことにより、負荷に電力を供給できる複数の分散型電源システムを有し、前記複数の分散型電源システムのうちのいずれかは、前記負荷に供給される電力状態の異常を検出する異常検出部を有する。前記異常検出部は、前記自立運転時における異常検出の条件を、前記連系運転時よりも緩和する。
【００１０】
本発明の給電システムの他の特徴によれば、前記異常検出部は、複数の分散型電源システムのうちの少なくともいずれかの単独運転を防止するために、前記負荷に供給される電力の異常を検出する。
【００１１】
本発明の給電システムの他の特徴によれば、前記異常検出部は、前記負荷に供給される電力状態の異常が検出された後に前記自立運転が行われる場合に、前記連系運転時よりも異常検出の条件を緩和する。
【００１２】
本発明の給電システムの他の特徴によれば、前記異常検出部は、前記連系運転時において第１の異常検出パラメータを使用して、異常検出を行い、前記自立運転時においては前記第１の異常検出パラメータよりも緩和された第２の異常検出パラメータを、前記第１の異常検出パラメータに代えて使用する。
【００１３】
本発明の給電システムの他の特徴によれば、前記複数の分散型電源システムの動作状態を管理する管理装置を有し、前記異常検出部を有する分散型電源システムは、前記異常検出部が異常を検出した場合に、前記管理装置に対して異常発生通知を送信する異常発生通知部を含む。
【００１４】
本発明の給電システムの他の特徴によれば、前記商用電力系統からの電力ライン上に設けられた遮断器（例えば、サービスブレーカＳＢ）を有し、前記管理装置は、前記異常発生通知を受信した後、前記複数の分散型電源システム及び前記負荷を前記商用電力系統から電気的に切り離すように前記遮断器を制御する遮断器制御部を含む。
【００１５】
本発明の給電システムの他の特徴によれば、前記異常検出部を有する分散型電源システムは、前記異常検出部が異常を検出した場合に、自システムからの電力の出力を停止する出力制御部を含む。
【００１６】
本発明の給電システムの他の特徴によれば、前記管理装置は、前記遮断器制御部が前記遮断器を制御した後、前記異常検出部を有する分散型電源システムに、電力の出力を再開させるための情報を送信する送信部を含む。
【００１７】
本発明の給電システムの他の特徴によれば、前記管理装置は、前記異常発生通知を受信した後、前記自立運転における異常検出の条件として、前記連系運転時よりも緩和した条件を指定するためのパラメータ情報を、前記異常検出部を有する分散型電源システムに対して送信する制御を行う制御部を含む。
【００１８】
本発明の給電システムの他の特徴によれば、前記複数の分散型電源システムは、太陽電池システムを含み、前記制御部は、前記太陽電池システムの予測発電量に応じて、前記自立運転時における異常検出の条件を決定する。
【００１９】
本発明の給電システムの他の特徴によれば、前記自立運転時における異常検出の条件は、前記太陽電池システムの予測発電量が少ないときほど、前記緩和の度合いが大きくなるように決定される。
【００２０】
本発明の給電システムの他の特徴によれば、前記負荷は、複数設けられており、前記管理装置は、前記異常発生通知を受信した後、前記複数の負荷毎に電力供給を制御する電力供給制御部を含む。
【００２１】
本発明の給電システムの他の特徴によれば、前記電力供給制御部は、前記複数の負荷へ供給可能な電力量と、前記複数の負荷が必要とする電力量とに応じて、前記複数の負荷のうち選択した負荷への電力供給を停止するよう制御する。
【００２２】
本発明の給電システムの他の特徴によれば、前記異常検出部を有する分散型電源システムは、燃料電池システムである。
【００２３】
本発明の分散型電源システムは、商用電力系統と並列した連系運転、又は解列した自立運転を行うことにより、負荷に電力を供給できる分散型電源と、前記連系運転時において、前記負荷に供給される電力状態の異常を検出する異常検出部と、を有する。前記異常検出部は、前記負荷に供給される電力状態の異常が検出された後に前記自立運転が行われる場合には、前記連系運転時よりも異常検出の条件を緩和する。
【００２４】
本発明の管理装置は、商用電力系統と並列した連系運転、又は解列した自立運転を行うことにより、負荷に電力を供給できる分散型電源システムの動作状態を管理する。管理装置は、前記負荷に供給される電力状態の異常を検出する異常検出部を有する。前記異常検出部は、前記分散型電源システムの前記自立運転時における異常検出の条件を、前記連系運転時よりも緩和する。
【００２５】
本発明の制御方法は、商用電力系統と並列した連系運転、又は解列した自立運転を行うことにより、負荷に電力を供給できる分散型電源システムを有する給電システムにおける制御方法であって、前記負荷に供給される電力状態の異常を検出するステップを有し、前記自立運転時における異常検出の条件を、前記連系運転時よりも緩和する。
【００２６】
本発明によれば、系統の停電等の異常時において、複数の分散型電源システムが同時に自立運転を行う場合でも、負荷への電力供給が停止する可能性を低減できる給電システム、分散型電源システム、管理装置、及び給電制御方法を提供できる。
【図面の簡単な説明】
【００２７】
【図１】図１は、本発明の第１実施形態〜第４実施形態に係る給電システムのブロック図である。
【図２】図２は、本発明の第１実施形態〜第５実施形態に係るＳＯＦＣ  ＰＣＳのブロック図である。
【図３】図３は、本発明の第１実施形態〜第５実施形態に係るＨＥＭＳ５００のブロック図である。
【図４】図４は、本発明の第１実施形態に係る給電システムにおける停電発生時の動作シーケンス図である。
【図５】図５は、本発明の第２実施形態に係る給電システムにおける停電発生時の動作シーケンス図である。
【図６】図６は、本発明の第３実施形態に係る給電システムにおける停電発生時の動作シーケンス図である。
【図７】図７は、本発明の第４実施形態に係る異常検出パラメータを示す。
【図８】図８は、本発明の第４実施形態に係る給電システムにおける停電発生時の動作シーケンス図である。
【図９】図９は、本発明の第５実施形態に係る給電システムのブロック図である。
【図１０】図１０は、本発明の第５実施形態に係る給電システムにおける停電発生時の動作シーケンス図である。
【図１１】図１１は、本発明の第１実施形態〜第５実施形態の変更例１に係る給電システムのブロック図である。
【図１２】図１２は、本発明の第１実施形態〜第５実施形態の変更例２に係る給電システムのブロック図である。
【発明を実施するための形態】
【００２８】
図面を参照して、本発明の第１実施形態〜第５実施形態、及びその他の実施形態を説明する。以下の各実施形態に係る図面において、同一又は類似の部分には同一又は類似の符号を付す。
【００２９】
［第１実施形態］
（給電システムの全体構成）
図１は、本実施形態に係る給電システムのブロック図である。図１において、ブロック間の実線は電力ラインを示し、破線は制御ラインを示す。制御ラインは無線としてもよい。
【００３０】
図１に示すように、本実施形態に係る給電システムは、系統１０から電力（ＡＣ電力）の供給を受ける需要家１に設けられる。本実施形態に係る給電システムは、買電メータ２１、売電メータ２２、分電盤３０、太陽電池（ＰＶ）システム１００、固体酸化物形燃料電池（ＳＯＦＣ）システム３００、複数の負荷４００、及び住宅エネルギー管理システム（ＨＥＭＳ）５００を有する。ＰＶシステム１００、ＳＯＦＣシステム３００、及び複数の負荷４００は、電力ラインを介して分電盤３０に接続される。
【００３１】
買電メータ２１及び売電メータ２２は、系統１０と分電盤３０との間の電力ライン上に設けられる。買電メータ２１は、需要家１が系統１０から入力する電力（買電電力）を測定する。売電メータ２２は、需要家１が系統１０に出力する電力（売電電力）を測定する。買電メータ２１及び売電メータ２２は、測定結果をＨＥＭＳ５００に送信する。
【００３２】
分電盤３０は、系統１０からの電力及び複数の分散電源システム（ＰＶシステム１００、ＳＯＦＣシステム３００）からの電力を負荷４００に分配する。また、分電盤３０は、ＰＶシステム１００からの電力のうち負荷４００で消費されない余剰電力を系統１０に出力（売電）する。
【００３３】
分電盤３０は、復電検出器３１、サービスブレーカＳＢ、漏電ブレーカＥＬＢ、ＰＶブレーカＢ１、ＳＯＦＣブレーカＢ３、及び複数の負荷ブレーカＢ４〜Ｂ８を含む。
【００３４】
復電検出器３１は、売電メータ２２とサービスブレーカＳＢとの間の電力ライン上に設けられる。復電検出器３１は、系統１０の停電後の復電を検出し、検出結果に関する通知をＨＥＭＳ５００に送信する。
【００３５】
サービスブレーカＳＢは、復電検出器３１と漏電ブレーカＥＬＢとの間の電力ライン上に設けられる。サービスブレーカＳＢは、ＨＥＭＳ５００からの制御によって、導通（オン）状態から非導通（オフ）状態、オフ状態からオン状態に切り替えられる。本実施形態において、サービスブレーカＳＢは、複数の分散型電源システム（ＰＶシステム１００、ＳＯＦＣシステム３００）及び負荷４００を系統１０から電気的に切り離すための遮断器に相当する。
【００３６】
漏電ブレーカＥＬＢは、サービスブレーカＳＢとブレーカ（ＰＶブレーカＢ１、ＳＯＦＣブレーカＢ３、及び複数の負荷ブレーカＢ４〜Ｂ８）との間の電力ライン上に設けられる。漏電ブレーカＥＬＢは、漏電を検出すると、オン状態からオフ状態に切り替わる。
【００３７】
ＰＶブレーカＢ１は、漏電ブレーカＥＬＢとＰＶパワーコンディショナ（ＰＣＳ）１２０との間の電力ライン上に設けられる。ＰＶブレーカＢ１は、ＨＥＭＳ５００からの制御によって、入力ａから入力ｂ、入力ｂから入力ａに切り替えられる。入力ａは、ＰＣ  ＰＣＳ１２０との間の通常電力ラインに接続され、入力ｂは、ＰＣ  ＰＣＳ１２０との間の自立電力ラインに接続される。通常時（連系運転時）には入力ａが使用され、自立運転時には入力ｂが使用される。
【００３８】
ＳＯＦＣブレーカＢ３は、漏電ブレーカＥＬＢとＳＯＦＣ  ＰＣＳ３２０との間の電力ライン上に設けられる。ＳＯＦＣブレーカＢ３は、ＨＥＭＳ５００からの制御によって、オン状態からオフ状態、オフ状態からオン状態に切り替えられる。 
【００３９】
負荷ブレーカＢ４〜Ｂ８は、負荷４００−１〜４００−５に対応して設けられる。負荷ブレーカＢ４は、漏電ブレーカＥＬＢと負荷４００−１との間の電力ライン上に設けられる。負荷ブレーカＢ５〜Ｂ８も同様に設けられる。負荷ブレーカＢ４〜Ｂ８のそれぞれは、ＨＥＭＳ５００からの制御によって、オン状態からオフ状態、オフ状態からオン状態に切り替えられる。
【００４０】
ＰＶシステム１００は、ＰＶ１１０及びＰＶ  ＰＣＳ１２０を有する。
【００４１】
ＰＶ１１０は、太陽光を受けて発電を行い、発電により得られた電力をＰＶ  ＰＣＳ１２０に出力する。ＰＶ１１０の発電量は、ＰＶ１１０に照射される日射量に応じて変化する。
【００４２】
ＰＶ  ＰＣＳ１２０は、ＰＶ１１０からの電力が入力され、当該入力された電力をＤＣからＡＣに変換して分電盤３０に出力する。ＰＶ  ＰＣＳ１２０は、ＰＶ１１０を系統１０に連系して連系運転を行う。連系運転時において、ＰＶ  ＰＣＳ１２０は、系統１０の状態（電圧、電流、位相、及び周波数等）に合わせた電力を出力する。
【００４３】
ＰＶ  ＰＣＳ１２０は、単独運転防止機能を有する。単独運転防止機能とは、連系運転が可能な発電装置が、停電又はその兆候等を検出して運転を停止する機能をいう。一例として日本においては、連系運転が可能な発電装置は、安全上及び電力会社側の作業性担保などを理由として、系統の停電等を検出した時には、当該発電装置の出力電力が逆潮流可能になる状態（単独運転）を避けることが求められている。このため、連系運転が可能な発電装置は、単独運転防止機能を有することが求められている。
【００４４】
詳細には、ＰＶ  ＰＣＳ１２０は、分電盤３０との間の電力ラインの状態（電圧、電流、位相、及び周波数等）を監視しており、監視する電圧又は周波数が異常検出パラメータで定められる範囲を超えた場合に、系統が停電等の異常状態であると判断し、電力の出力を停止する。停電等の異常の判断方法は、単独運転防止機能における能動方式検出方法と実質的に同様である。また、ＰＶ  ＰＣＳ１２０は、ＰＶ１１０を系統１０に連系しない自立運転により電力を出力することもできる。
【００４５】
ＳＯＦＣシステム３００は、ＳＯＦＣ３１０及びＳＯＦＣ  ＰＣＳ３２０を有する。
【００４６】
ＳＯＦＣ３１０は、燃料電池の一例であり、天然ガスなどから取り出した水素と空気中の酸素との化学反応により発電を行い、発電により得られた電力をＳＯＦＣ  ＰＣＳ３２０に出力する。ＳＯＦＣ３１０の発電量は、ＳＯＦＣ３１０に入力されるガス及び空気の量に応じて変化する。ガス及び空気の量は、ＳＯＦＣ  ＰＣＳ３２０によって制御される。
【００４７】
ＳＯＦＣ  ＰＣＳ３２０は、ＳＯＦＣ３１０からの電力が入力され、当該入力された電力をＤＣからＡＣに変換して分電盤３０に出力する。ＳＯＦＣ  ＰＣＳ３２０は、ＳＯＦＣ３１０を系統１０に連系して連系運転を行う。連系運転時において、ＳＯＦＣ  ＰＣＳ３２０は、系統１０の状態（電圧、電流、位相、及び周波数等）に合わせた電力を出力する。ＳＯＦＣ  ＰＣＳ３２０は、単独運転防止機能を有する。詳細には、ＳＯＦＣ  ＰＣＳ３２０は、分電盤３０との間の電力ラインの状態（電圧、電流、位相、及び周波数等）を監視しており、監視する電圧又は周波数が異常検出パラメータで定められる範囲を超えた場合に、系統が停電状態であると判断し、電力の出力を停止する。停電の判断方法は、単独運転防止機能における能動方式検出方法と実質的に同様である。また、ＳＯＦＣ  ＰＣＳ３２０は、ＳＯＦＣ３１０を系統１０に連系しない自立運転により電力を出力することもできる。
【００４８】
負荷４００は、分電盤３０から電力ラインを介して電力を入力し、当該入力した電力を消費して動作する。各負荷４００は、例えば、照明、エアコン、冷蔵庫、テレビ等の電気機器である。
【００４９】
ＨＥＭＳ５００は、需要家１における各種の電力管理を行う。本実施形態において、ＨＥＭＳ５００は、複数の分散型電源システムの動作状態を管理する管理装置に相当する。ＨＥＭＳ５００は、復電検出器３１、各種ブレーカ、ＰＶ  ＰＣＳ１２０、及びＳＯＦＣ  ＰＣＳ３２０との通信を行い、制御信号を送受信する。さらに、ＨＥＭＳ５００は、買電メータ２１及び売電メータ２２との通信を行ってもよい。なお、これら制御信号の送受信などの通信は、ECHONET Lite規格、ZigBee SEP2.0規格あるいはKNX規格といった、所定の通信プロトコルに準拠した信号フォーマットを用いて行われる。
【００５０】
（ＳＯＦＣ  ＰＣＳの構成）
図２は、ＳＯＦＣ  ＰＣＳ３２０のブロック図である。図２において、ブロック間の実線は電力ラインを示し、破線は制御ラインを示す。ＰＶ  ＰＣＳ１２０は、ＳＯＦＣ  ＰＣＳ３２０と同様に構成される。
【００５１】
図２に示すように、ＳＯＦＣ  ＰＣＳ３２０は、ＤＣ／ＤＣ変換器３２１、ＤＣ／ＡＣ変換器３２２、リレー３２３、センサ３２４、及びＰＣＳコントローラ３２５を含む。
【００５２】
ＤＣ／ＤＣ変換器３２１は、ＳＯＦＣ３１０とＤＣ／ＡＣ変換器３２２との間の電力ライン上に設けられる。ＤＣ／ＤＣ変換器３２１は、ＳＯＦＣ３１０からの電力をＤＣ／ＤＣ変換してＤＣ／ＡＣ変換器３２２に出力する。ＤＣ／ＤＣ変換器３２１は、ＰＣＳコントローラ３２５からの制御に応じてＤＣ／ＤＣ変換を行う。
【００５３】
ＤＣ／ＡＣ変換器３２２は、ＤＣ／ＤＣ変換器３２１とリレー３２３との間の電力ライン上に設けられる。ＤＣ／ＡＣ変換器３２２は、ＤＣ／ＤＣ変換器３２１からの電力をＤＣ／ＡＣ変換してリレー３２３に出力する。ＤＣ／ＡＣ変換器３２２は、ＰＣＳコントローラ３２５からの制御に応じてＤＣ／ＡＣ変換を行う。
【００５４】
リレー３２３は、ＤＣ／ＡＣ変換器３２２とセンサ３２４との間の電力ライン上に設けられる。リレー３２３は、ＰＣＳコントローラ３２５からの制御によって、オン状態からオフ状態、オフ状態からオン状態に切り替えられる。リレー３２３がオン状態であるときは、ＳＯＦＣ  ＰＣＳ３２０が電力を出力可能であり、リレー３２３がオフ状態であるときは、ＳＯＦＣ  ＰＣＳ３２０が電力を出力不能である。
【００５５】
センサ３２４は、リレー３２３と分電盤３０との間の電力ライン上に設けられる。センサ３２４は、リレー３２３と分電盤３０との間の電力ラインの電圧や周波数を測定し、測定結果をＰＣＳコントローラ３２５に出力する。
【００５６】
ＰＣＳコントローラ３２５は、プロセッサ及びメモリを含み、各種の制御を行う。ＰＣＳコントローラ３２５は、センサ３２４からの測定結果と、ＨＥＭＳ５００からの制御信号とに基づいて、ＤＣ／ＤＣ変換器３２１、ＤＣ／ＡＣ変換器３２２、及びリレー３２３を制御する。また、ＰＣＳコントローラ３２５は、ＳＯＦＣ  ＰＣＳ３２０の動作状態に関する情報をＨＥＭＳ５００に送信する。
【００５７】
本実施形態では、ＰＣＳコントローラ３２５は、連系運転時において、単独運転を防止するための第１の異常検出パラメータと、センサ３２４の測定結果とに基づいて、負荷４００に供給される電力の異常を検出する。第１の異常検出パラメータは、例えば、電圧値は上限値１１５Ｖ、下限値８５Ｖとし、周波数は上限値５１Ｈｚ、下限値４９Ｈｚとすることができる。ＰＣＳコントローラ３２５は、センサ３２４の測定結果が第１の異常検出パラメータで定められる範囲を超えると、異常を検出したと判断する。このように、本実施形態において、センサ３２４及びＰＣＳコントローラ３２５は、異常検出部を構成する。
【００５８】
ＰＣＳコントローラ３２５は、第１の異常検出パラメータを使用して異常を検出すると、リレー３２３をオン状態からオフ状態に切り替える。その結果、ＳＯＦＣ  ＰＣＳ３２０からの電力の出力が停止する。このように、本実施形態において、リレー３２３及びＰＣＳコントローラ３２５は、出力制御部を構成する。
【００５９】
第１の異常検出パラメータを用いた異常の検出、及び異常検出時の出力停止は、通常の独立運転防止機能に従って行われる。
【００６０】
さらに、ＰＣＳコントローラ３２５は、第１の異常検出パラメータを使用して異常を検出すると、ＨＥＭＳ５００に対して異常発生通知をECHONET Lite等の前述の所定のプロトコルに準拠した信号フォーマットにより送信する。異常発生通知とは、停電が発生した旨の通知であってもよく、停電の兆候が発生した旨の通知であってもよい。このように、本実施形態において、ＰＣＳコントローラ３２５は、異常発生通知部に相当する。
【００６１】
その後、ＰＣＳコントローラ３２５は、ＨＥＭＳ５００からのパラメータ情報を受信する。パラメータ情報は、第１の異常検出パラメータよりも緩和された第２の異常検出パラメータを指定するものである。すなわち、第２の異常検出パラメータで定められる電圧・周波数範囲は、第１の異常検出パラメータで定められる電圧・周波数範囲よりも広い。第２の異常検出パラメータは、例えば、電圧値は上限値１２０Ｖ、下限値８０Ｖとし、周波数は上限値５２Ｈｚ、下限値４８Ｈｚとすることができる。パラメータ情報は、第２の異常検出パラメータの数値自体であってもよく、例えば、図７に示すような、予め定められた第２の異常検出パラメータの数値の組を示すインデックスであってもよい。
【００６２】
また、ＰＣＳコントローラ３２５は、ＳＯＦＣシステム３００（ＳＯＦＣ  ＰＣＳ３２０）からの電力の出力を再開するための情報を受信する。当該情報は、例えば、電力出力の再開指示であってもよく、自立運転の開始指示であってもよく、サービスブレーカＳＢをオフした旨の通知（以下、ブレーカオフ通知）であってもよい。以下においては、ＰＣＳコントローラ３２５がブレーカオフ通知を受信する一例を説明する。
【００６３】
ＰＣＳコントローラ３２５は、ブレーカオフ通知を受信すると、リレー３２３をオフ状態からオン状態に切り替える。その結果、ＳＯＦＣ  ＰＣＳ３２０からの電力の出力が再開可能な状態になる。また、ＰＣＳコントローラ３２５は、センサ３２４からの測定結果に基づいて、ＤＣ／ＤＣ変換器３２１及びＤＣ／ＡＣ変換器３２２を制御する。詳細については後述するが、この時点ではサービスブレーカＳＢがオフ状態であるため、ＳＯＦＣ  ＰＣＳ３２０は自立運転（系統１０に連系しない運転）を行うことになる。
【００６４】
さらに、ＰＣＳコントローラ３２５は、そのような自立運転時において、ＨＥＭＳ５００からのパラメータ情報で指定された第２の異常検出パラメータに変更して異常検出を行う。第２の異常検出パラメータは、第１の異常検出パラメータよりも緩和されたものであるため、連系運転時に比べて異常検出と判断されにくい状態になる。ＰＣＳコントローラ３２５は、第２の異常検出パラメータを用いて異常を検出すると、リレー３２３をオン状態からオフ状態に切り替える。その結果、ＳＯＦＣ  ＰＣＳ３２０からの電力の出力が停止する。
【００６５】
その後、ＰＣＳコントローラ３２５は、ＨＥＭＳ５００からの復電通知を受信する。復電通知は、復電した旨の通知であってもよく、第１の異常検出パラメータに戻すよう指示する旨の情報であってもよい。ＰＣＳコントローラ３２５は、ＨＥＭＳ５００からの復電通知を受信すると、第２の異常検出パラメータから第１の異常検出パラメータに戻して異常検出を行う。第１の異常検出パラメータに戻した以降は、通常の独立運転防止機能に従った独立運転防止動作が行われる。
【００６６】
（ＨＥＭＳの構成）
図３は、ＨＥＭＳ５００のブロック図である。
【００６７】
図３に示すように、ＨＥＭＳ５００は、通信部５１０、入力部５２０、表示部５３０、記憶部５４０、及び制御部５５０を含む。
【００６８】
通信部５１０は、需要家１に設けられた各機器との通信を行う。詳細には、通信部５１０は、復電検出器３１、各種ブレーカ、ＰＶ  ＰＣＳ１２０、及びＳＯＦＣ  ＰＣＳ３２０との通信を行い、制御信号を所定の通信プロトコルに準じた信号フォーマットで送受信する。
【００６９】
入力部５２０は、ユーザからの操作入力を受け付ける。表示部５３０は、各種の表示を行う。入力部５２０及び表示部５３０はタッチパネルとして一体化されていてもよい。表示部５３０は、買電メータ２１及び売電メータ２２から得られる情報に基づいて、買電量や売電量を時系列で表示してもよい。
【００７０】
記憶部５４０は、メモリを含み、制御部５５０における制御に使用される各種情報を記憶する。制御部５５０は、プロセッサを含み、ＨＥＭＳ５００の各種機能を制御する。
【００７１】
記憶部５４０は、例えば、第１の異常検出パラメータ及び第２の異常検出パラメータを記憶する。第１の異常検出パラメータ及び第２の異常検出パラメータは、ユーザが入力部５２０を操作することによって入力してもよく、記憶部５４０に記憶された各種情報に基づいて、制御部５５０が算出した値であってもよい。
【００７２】
制御部５５０は、通信部５１０がＳＯＦＣ  ＰＣＳ３２０からの異常発生通知を受信すると、サービスブレーカＳＢをオン状態からオフ状態に切り替えるよう制御する。詳細には、サービスブレーカＳＢをオフ状態に切り替える指示を通信部５１０から送信させる。その結果、サービスブレーカＳＢがオフ状態になり、複数の分散型電源システム（ＰＶシステム１００、ＳＯＦＣシステム３００）及び負荷４００が系統１０から電気的に切り離される。このように、本実施形態において、通信部５１０及び制御部５５０は、遮断器制御部を構成する。
【００７３】
制御部５５０は、サービスブレーカＳＢをオフ状態にした後、ＳＯＦＣシステム３００からの電力の出力を再開させるための情報（ここでは、ブレーカオフ通知）を複数の分散型電源システム（ＰＶシステム１００、ＳＯＦＣシステム３００）に対して送信するよう通信部５１０を制御する。このように、本実施形態において、通信部５１０及び制御部５５０は、送信部を構成する。
【００７４】
また、制御部５５０は、サービスブレーカＳＢをオフ状態にした後、第２の異常検出パラメータを指定するためのパラメータ情報を、複数の分散型電源システム（ＰＶシステム１００、ＳＯＦＣシステム３００）に対して送信するよう通信部５１０を制御する。上述したように、パラメータ情報は、第２の異常検出パラメータの数値自体であってもよく、例えば、図７に示すような、予め定められた第２の異常検出パラメータの数値の組を示すインデックスであってもよい。
【００７５】
その後、制御部５５０は、通信部５１０が復電検出器３１から復電した旨を示す信号を受信すると、復電通知を複数の分散型電源システム（ＰＶシステム１００、ＳＯＦＣシステム３００）に対して送信するよう通信部５１０を制御する。上述したように、復電通知は、復電した旨の通知であってもよく、第１の異常検出パラメータに戻すよう指示する旨の情報であってもよい。
【００７６】
（給電システムの動作）
図４は、本実施形態に係る給電システムにおける停電発生時の動作シーケンス図である。
【００７７】
図４に示すように、ステップＳ１０１−１においてＰＶ  ＰＣＳ１２０が電力異常を検出し、ステップＳ１０１−３においてＳＯＦＣ  ＰＣＳ３２０が電力異常を検出する。
【００７８】
ステップＳ１０２−１において、ＰＶ  ＰＣＳ１２０は、異常検出に応じて電力の出力を停止する。また、ステップＳ１０２−３において、ＳＯＦＣ  ＰＣＳ３２０は、異常検出に応じて電力の出力を停止する。
【００７９】
ステップＳ１０３において、ＳＯＦＣ  ＰＣＳ３２０は、ＨＥＭＳ５００に対して異常発生通知を送信する。
【００８０】
ステップＳ１０４において、ＨＥＭＳ５００は、ＳＯＦＣ  ＰＣＳ３２０からの異常発生通知を受信すると、サービスブレーカＳＢをオフ状態に切り替える指示を分電盤３０に対して送信する。
【００８１】
ステップＳ１０５において、分電盤３０は、ＨＥＭＳ５００からのブレーカオフ指示に応じて、サービスブレーカＳＢをオフ状態に切り替える。
【００８２】
ステップＳ１０６において、ＨＥＭＳ５００は、ブレーカオフ通知をＰＶ  ＰＣＳ１２０及びＳＯＦＣ  ＰＣＳ３２０に対して送信する。また、ＨＥＭＳ５００は、パラメータを変更する指示としてパラメータ情報をＰＶ  ＰＣＳ１２０及びＳＯＦＣ  ＰＣＳ３２０に対して送信する。
【００８３】
ステップＳ１０７−１において、ＰＶ  ＰＣＳ１２０は、ＨＥＭＳ５００からのパラメータ情報に応じて第１の異常検出パラメータから第２の異常検出パラメータに変更する。また、ステップＳ１０７−３において、ＳＯＦＣ  ＰＣＳ３２０は、ＨＥＭＳ５００からのパラメータ情報に応じて第１の異常検出パラメータから第２の異常検出パラメータに変更する。
【００８４】
ステップＳ１０８−１において、ＰＶ  ＰＣＳ１２０は、ＨＥＭＳ５００からのブレーカオフ通知に応じて自立運転により電力の出力を再開する。また、ステップＳ１０８−３において、ＳＯＦＣ  ＰＣＳ３２０は、ＨＥＭＳ５００からのブレーカオフ通知に応じて自立運転により電力の出力を再開する。
【００８５】
その後、ステップＳ１０９において、分電盤３０の復電検出器３１は、復電を検出する。
【００８６】
ステップＳ１１０において、復電検出器３１は、復電した旨を示す信号をＨＥＭＳ５００に対して送信する。
【００８７】
ステップＳ１１１において、分電盤３０は、復電検出に応じてサービスブレーカＳＢをオフ状態からオン状態に切り替える。
【００８８】
ステップＳ１１２において、ＨＥＭＳ５００は、復電検出器３１からの復電した旨を示す信号に応じて、復電通知をＰＶ  ＰＣＳ１２０及びＳＯＦＣ  ＰＣＳ３２０に対して送信する。
【００８９】
ステップＳ１１３−１において、ＰＶ  ＰＣＳ１２０は、ＨＥＭＳ５００からの復電通知に応じて第１の異常検出パラメータに戻す。また、ステップＳ１１３−３において、ＳＯＦＣ  ＰＣＳ３２０は、ＨＥＭＳ５００からの復電通知に応じて第１の異常検出パラメータに戻す。すなわち、復電通知は、パラメータ変更を指示する信号としての側面も併せ持つ。
【００９０】
（まとめ）
以上説明したように、給電システムは、系統１０との連系運転、又は自立運転により、負荷４００に電力を供給できる複数の分散型電源システム（ＰＶシステム１００、ＳＯＦＣシステム３００）を有する。ＳＯＦＣシステム３００は、連系運転時において、単独運転を防止するための第１の異常検出パラメータを使用して、負荷４００に供給される電力の異常を検出する。また、ＳＯＦＣシステム３００は、負荷４００に供給される電力の異常が検出された後、自立運転時において、第１の異常検出パラメータよりも緩和された第２の異常検出パラメータを、第１の異常検出パラメータに代えて使用する。
【００９１】
これにより、自立運転時において負荷４００に供給される電力が異常とみなされ難くなるため、系統１０の停電時において複数の分散型電源システムが同時に自立運転を行う場合でも、負荷４００への電力供給が停止する可能性を低減できる。また、異常検出パラメータを変更するものの、負荷４００に供給される電力の異常は検出可能であるため、例えば負荷４００に供給される電力が過大であるような状況下では負荷４００への電力供給を停止できる。
【００９２】
［第２実施形態］
以下、第２実施形態について、第１実施形態との相違点を主として説明する。
【００９３】
上述した第１実施形態では、ＰＶ  ＰＣＳ１２０及びＳＯＦＣ  ＰＣＳ３２０が同時に自立運転により電力出力を再開していた。しかしながら、例えばＰＶ  ＰＣＳ１２０の自立運転への切り替えが手動で行われるような場合には、以下で説明するように、ＰＶ  ＰＣＳ１２０及びＳＯＦＣ  ＰＣＳ３２０が異なるタイミングで電力出力を再開してもよい。
【００９４】
図５は、本実施形態に係る給電システムにおける停電発生時の動作シーケンス図である。ステップＳ２０１〜Ｓ２０５は、第１実施形態で説明したステップＳ１０１〜Ｓ１０５と同様であるため、ステップＳ２０６から説明する。
【００９５】
図５に示すように、ステップＳ２０６において、ＨＥＭＳ５００は、ブレーカオフ通知をＰＶ  ＰＣＳ１２０及びＳＯＦＣ  ＰＣＳ３２０に対して送信する。
【００９６】
ステップＳ２０７において、ＳＯＦＣ  ＰＣＳ３２０は、ＨＥＭＳ５００からのブレーカオフ通知に応じて自立運転により電力の出力を再開する。
【００９７】
ステップＳ２０８において、ＰＶ  ＰＣＳ１２０は、自立運転により電力の出力を再開する旨の通知（予告）をＨＥＭＳ５００に対して送信する。ＰＶ  ＰＣＳ１２０が自立運転により電力の出力を再開する場合、第１の異常検出パラメータから第２の異常検出パラメータに変更する必要が生じる。
【００９８】
ステップＳ２０９において、ＨＥＭＳ５００は、ＰＶ  ＰＣＳ１２０からの出力再開通知に応じて、第２の異常検出パラメータに変更するためのパラメータ情報をＰＶ  ＰＣＳ１２０及びＳＯＦＣ  ＰＣＳ３２０に対して送信する。
【００９９】
ステップＳ２１０−１において、ＰＶ  ＰＣＳ１２０は、ＨＥＭＳ５００からのパラメータ情報に応じて第１の異常検出パラメータから第２の異常検出パラメータに変更する。また、ステップＳ２１０−３において、ＳＯＦＣ  ＰＣＳ３２０は、ＨＥＭＳ５００からのパラメータ情報に応じて第１の異常検出パラメータから第２の異常検出パラメータに変更する。
【０１００】
ステップＳ２１１において、ＰＶ  ＰＣＳ１２０は、自立運転により電力の出力を再開する。以降の動作については、第１実施形態と同様であるため、説明を省略する。
【０１０１】
［第３実施形態］
以下、第３実施形態について、第１実施形態との相違点を主として説明する。
【０１０２】
本実施形態では、ＨＥＭＳ５００は、ＳＯＦＣ  ＰＣＳ３２０からの異常発生通知を受信した後、負荷４００への電力供給を制御する。詳細には、ＨＥＭＳ５００の制御部５５０は、負荷ブレーカＢ４〜Ｂ８の少なくとも１つに対してオフ状態への切り替え指示を送信するよう通信部５１０を制御することで、負荷４００毎に電力供給を制御する。
【０１０３】
本実施形態では、通信部５１０及び制御部５５０は、ＰＶ  ＰＣＳ１２０及びＳＯＦＣ  ＰＣＳ３２０との通信を行うことで、負荷４００へ供給可能な電力量に関する情報を取得する。また、通信部５１０及び制御部５５０は、分電盤３０に設けられたセンサとの通信を行うことで、負荷４００が必要とする電力量に関する情報を取得する。そして、通信部５１０及び制御部５５０は、負荷４００へ供給可能な電力量と、負荷４００が必要とする電力量とに応じて、負荷４００のうち選択した負荷４００への電力供給を停止するよう制御する。
【０１０４】
例えば、制御部５５０は、負荷４００へ供給可能な電力量が、負荷４００が必要とする電力量に対して不足する場合に、不足分の電力量を算出し、当該不足分の電力量に相当する電力を必要とする少なくとも１つの負荷４００への電力供給を停止すると決定する。また、制御部５５０は、電力供給を停止すべき負荷４００に対応する負荷ブレーカを特定し、当該負荷ブレーカに対するオフ切り替え指示を送信するよう通信部５１０を制御する。これにより、負荷４００が必要とする電力量を、負荷４００へ供給可能な電力量以下にすることができる。
【０１０５】
ここで、ＨＥＭＳ５００は、負荷ブレーカＢ４〜Ｂ８のいずれかを直接制御してオフ状態とすることで負荷４００毎の電力供給を制御させてもよいが、負荷４００を直接制御してもよい。この場合、ＨＥＭＳ５００は、Echonet LiteあるいはZigBee（登録商標）などの通信プロトコルを用いて、負荷４００と直接通信を行い、その電源をオフする制御信号、あるいは省電力状態へ遷移させる制御信号などを負荷４００に送信することにより、負荷４００毎の電力供給を制御する。
【０１０６】
図６は、本実施形態に係る給電システムにおける停電発生時の動作シーケンス図である。ステップＳ３０１〜Ｓ３０８は、第１実施形態で説明したステップＳ１０１〜Ｓ１０８と同様であるため、ステップＳ３０９から説明する。
【０１０７】
図６に示すように、ステップＳ３０９において、ＨＥＭＳ５００は、ＰＶ  ＰＣＳ１２０及びＳＯＦＣ  ＰＣＳ３２０が自立運転により出力を再開した後、負荷４００へ供給可能な電力量が、負荷４００が必要とする電力量に対して不足するか否かを判定する。ここでは、不足すると判定したとする。
【０１０８】
ステップＳ３１０において、ＨＥＭＳ５００は、オフ切り替え指示として、電力供給を停止すべき負荷４００に対応する負荷ブレーカに対して指示信号を送信、あるいは負荷４００に対して直接の制御信号を送信する。
【０１０９】
ステップＳ３１１において、オフ切り替え指示を受信した負荷４００は、オン状態からオフ状態に切り替わる。
【０１１０】
その後、ステップＳ３１２において、分電盤３０の復電検出器３１は、復電を検出する。
【０１１１】
ステップＳ３１３において、復電検出器３１は、復電した旨を示す通知をＨＥＭＳ５００に対して送信する。
【０１１２】
ステップＳ３１４において、分電盤３０は、復電検出に応じてサービスブレーカＳＢをオフ状態からオン状態に切り替える。
【０１１３】
ステップＳ３１５において、分電盤３０は、復電検出に応じて、ステップＳ３１１でオフ状態にした負荷ブレーカをオフ状態からオン状態に切り替える。
【０１１４】
ステップＳ３１６において、ＨＥＭＳ５００は、復電検出器３１からの復電した旨を示す信号に応じて、復電通知をＰＶ  ＰＣＳ１２０及びＳＯＦＣ  ＰＣＳ３２０に対して送信する。
【０１１５】
ステップＳ３１７−１において、ＰＶ  ＰＣＳ１２０は、ＨＥＭＳ５００からの復電通知に応じて第１の異常検出パラメータに戻す。また、ステップＳ３１７−３において、ＳＯＦＣ  ＰＣＳ３２０は、ＨＥＭＳ５００からの復電通知に応じて第１の異常検出パラメータに戻す。
【０１１６】
また、ＨＥＭＳ５００は、負荷４００へ供給可能な電力量に関する情報と、負荷４００が必要とする電力量に関する情報とを定期的に取得してもよい。この場合、ＨＥＭＳ５００が復電検出器３１から復電した旨を示す信号を受信するまで、ステップＳ３０９を繰り返す。ステップＳ３０９において、負荷４００へ供給可能な電力量が、負荷４００が必要とする電力量に対して不足するか否かを判定した結果、電力供給を停止すべき負荷４００を増やしてもよい。この場合、ステップＳ３１０において、ＨＥＭＳ５００は、さらに電力供給を停止すべき負荷４００に対応する負荷ブレーカに対してオフ切り替え指示を送信する。その後、ステップＳ３１１において、新たにオフ切り替え指示を受信した負荷４００が、オン状態からオフ状態に切り替わる。反対に、ステップＳ３０９において、電力供給が再開可能な負荷４００があると判定した場合、ＨＥＭＳ５００は、電力供給が再開可能な負荷４００に対応する負荷ブレーカに対して、オン切り替え指示を送信してもよい。
【０１１７】
［第４実施形態］
以下、第４実施形態について、第１実施形態との相違点を主として説明する。
【０１１８】
上述した第１実施形態では、第２の異常検出パラメータは固定的に定められていた。これに対し、本実施形態では、ＨＥＭＳ５００の制御部５５０は、ＰＶシステム１００の予測発電量に応じて第２の異常検出パラメータを決定する。
【０１１９】
制御部５５０は、ＰＶシステム１００が、現時刻以降において発電することが予測される電力を示す情報（以下、「予測発電量情報」）を取得する。予測発電量情報は、外部ネットワーク（例えばインターネット）に接続されたサービスセンター等から需要家１のＨＥＭＳ５００へ提供される。この場合、ＨＥＭＳ５００は、サービスセンター等において予測発電量情報が作成されるときに必要とされる要素情報として、需要家１の地域情報等を事前に提供してもよい。また、制御部５５０は、外部ネットワークから、その日の需要家１の地域の天候（例えば、日射量）の情報（以下、「天候情報」）を取得し、取得した天候情報からＰＶシステム１００の発電電力を予測して、予測発電量情報を取得するようにしてもよい。そして、制御部５５０は、予測発電量が少ないほど、緩和された度合いの大きい第２の異常検出パラメータを決定する。
【０１２０】
図７は、本実施形態に係る異常検出パラメータを示す。図７において、ＯＶＲは電圧上限値、ＵＶＲは電圧下限値、ＯＦＲは周波数上限値、ＵＦＲは周波数下限値を示す。ＨＥＭＳ５００及び各ＰＣＳは、図７に示すようなテーブルを予め保持していてもよい。
【０１２１】
図７に示すように、設定番号（インデックス）０番の異常検出パラメータは、通常時（系統連系時）に使用されるデフォルト値としての第１の異常検出パラメータに相当する。一方、設定番号１番〜５番の何れかの異常検出パラメータは、第２の異常検出パラメータとして選択される。
【０１２２】
制御部５５０は、予測発電量が多い（例えば昼間かつ晴れである）場合には、緩和された度合いの小さい第２の異常検出パラメータとして、例えば設定番号１番又は２番の異常検出パラメータを選択する。これに対し、予測発電量が少ない（例えば夜間又は曇りである）場合には、緩和された度合いの大きい第２の異常検出パラメータとして、例えば設定番号４番又は５番の異常検出パラメータを選択する。
【０１２３】
このように、ＰＶシステム１００の予測発電量に応じて第２の異常検出パラメータを決定することで、第２の異常検出パラメータを適切に設定できる。
【０１２４】
図８は、本実施形態に係る給電システムにおける停電発生時の動作シーケンス図である。ステップＳ４０１〜Ｓ４０５は、第１実施形態で説明したステップＳ１０１〜Ｓ１０５と同様であるため、ステップＳ４０６から説明する。
【０１２５】
図８に示すように、ステップＳ４０６において、ＨＥＭＳ５００は、パラメータ情報を送信する前に、ＰＶシステム１００の予測発電量情報を取得し、上述した方法で、第２の異常検出パラメータを決定する。
【０１２６】
ステップＳ４０７において、ＨＥＭＳ５００は、ブレーカオフ通知をＰＶ  ＰＣＳ１２０及びＳＯＦＣ  ＰＣＳ３２０に対して送信する。また、ＨＥＭＳ５００は、ステップＳ４０６で決定したパラメータ情報をＰＶ  ＰＣＳ１２０及びＳＯＦＣ  ＰＣＳ３２０に対して送信する。以降の動作については、第１実施形態と同様であるため、説明を省略する。
【０１２７】
［第５実施形態］ 
以下、第５実施形態について、第１実施形態との相違点を主として説明する。
【０１２８】
上述した各実施形態では、ＰＶ  ＰＣＳ１２０及びＳＯＦＣ  ＰＣＳ３２０は、電力異常を検出し、電力の出力を停止していた。これに対し、本実施形態では、系統１０の停電（又はその兆候）の開始時から所定時間において無停電電源装置（ＵＰＳ）により電力を賄い、その間に第２の異常検出パラメータに変更することで、電力の出力を停止せずに継続可能にする。
【０１２９】
図９は、本実施形態に係る給電システムのブロック図である。図９において、ブロック間の実線は電力ラインを示し、破線は制御ラインを示す。制御ラインは無線としてもよい。
【０１３０】
図９に示すように、本実施形態に係る給電システムは、サービスブレーカＳＢと漏電ブレーカＥＬＢとの間の電力ライン上に設けられたＵＰＳ３２をさらに有する。ＵＰＳ３２は、小型の蓄電池を内蔵しており、系統１０の停電時又は不安定状態時に当該蓄電池からの電力を負荷４００に供給する。また、本実施形態では、復電検出器３１は、停電（又はその兆候）を検出してＨＥＭＳ５００に通知する機能も有する。
【０１３１】
ＵＰＳ３２の出力電力の一部は、ＰＶ ＰＣＳ１２０及びＳＯＦＣ  ＰＣＳ３２０に供給される。ここで供給される電力は、停電又は電力不安定状態発生前における系統１０からの電圧、電流、位相、及び周波数等といった単独運転防止機能における能動方式検出方法にて判断する基準となるパラメータを実質的に一致させている。 よって、ＰＶ ＰＣＳ２２０及びＳＯＦＣ  ＰＣＳ３２０は、ＵＰＳ３２からの電力供給により、系統１０の停電又は電力不安定状態を認識せず、単独運転防止機能を作動させない。
【０１３２】
図１０は、本実施形態に係る給電システムにおける停電発生時の動作シーケンス図である。
【０１３３】
図１０に示すように、ステップＳ５０１において、分電盤３０の停電・復電検出器３１は、電力異常を検出する。
【０１３４】
ステップＳ５０２において、分電盤３０は、停電・復電検出器３１による異常検出に応じて、サービスブレーカＳＢをオフ状態に切り替える。
【０１３５】
ステップＳ５０３において、分電盤３０は、ブレーカオフ通知をＨＥＭＳ５００に対して送信する。
【０１３６】
ステップＳ５０４において、ＨＥＭＳ５００は、ブレーカオフ通知をＰＶ  ＰＣＳ１２０及びＳＯＦＣ  ＰＣＳ３２０に対して送信する。また、ＨＥＭＳ５００は、パラメータ情報をＰＶ  ＰＣＳ１２０及びＳＯＦＣ  ＰＣＳ３２０に対して送信する。
【０１３７】
ステップＳ５０５−１において、ＰＶ  ＰＣＳ１２０は、ＨＥＭＳ５００からのパラメータ情報に応じて第１の異常検出パラメータから第２の異常検出パラメータに変更する。また、ステップＳ５０５−３において、ＳＯＦＣ  ＰＣＳ３２０は、ＨＥＭＳ５００からのパラメータ情報に応じて第１の異常検出パラメータから第２の異常検出パラメータに変更する。
【０１３８】
その後、ステップＳ５０６において、分電盤３０の停電・復電検出器３１は、復電を検出する。
【０１３９】
ステップＳ５０７において、停電・復電検出器３１は、復電した旨を示す信号をＨＥＭＳ５００に対して送信する。
【０１４０】
ステップＳ５０８において、分電盤３０は、停電・復電検出器３１による復電検出に応じて、サービスブレーカＳＢをオフ状態からオン状態に切り替える。
【０１４１】
ステップＳ５０９において、ＨＥＭＳ５００は、復電検出器３１からの復電した旨を示す信号に応じて、復電通知をＰＶ  ＰＣＳ１２０及びＳＯＦＣ  ＰＣＳ３２０に対して送信する。
【０１４２】
ステップＳ５１０−１において、ＰＶ  ＰＣＳ１２０は、ＨＥＭＳ５００からの復電通知に応じて第１の異常検出パラメータに戻す。また、ステップＳ５１０−３において、ＳＯＦＣ  ＰＣＳ３２０は、ＨＥＭＳ５００からの復電通知に応じて第１の異常検出パラメータに戻す。
【０１４３】
［その他の実施形態］
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１４４】
例えば、上述した各実施形態は、別個独立に実施する場合に限らず、相互に組み合わせて実施してもよい。
【０１４５】
また、上述した各実施形態においては、ＳＯＦＣ  ＰＣＳ３２０のＰＣＳコントローラ３２５が異常検出部及び異常発生通知部に相当するものとして説明したが、ＨＥＭＳ５００が異常検出部及び異常発生通知部であってもよい。この場合、ＨＥＭＳ５００は、連系運転時においては、第１の異常検出パラメータに基づいて、負荷４００に供給される電力状態の異常を検出する。ＨＥＭＳ５００は、異常を検出すると、ＰＶ  ＰＣＳ１２０及びＳＯＦＣ  ＰＣＳ３２０（ＰＣＳコントローラ３２５）に異常発生を通知し、ＰＶ  ＰＣＳ１２０及びＳＯＦＣ  ＰＣＳ３２０は、電力の出力を停止する。また、自立運転時においては、ＨＥＭＳ５００は、第２の異常検出パラメータに基づいて、負荷４００に供給される電力状態の異常を検出する。ＨＥＭＳ５００は、異常を検出したＰＶ  ＰＣＳ１２０又はＳＯＦＣ  ＰＣＳ３２０に異常発生を通知し、電力の出力を停止させる。ＨＥＭＳ５００は、異常の検出にあたり、ＰＶ  ＰＣＳ１２０及びＳＯＦＣ  ＰＣＳ３２０から受信した情報を用いてもよく、又は、分電盤３０に設けられたセンサから受信した情報を用いてもよい。ＨＥＭＳ５００と、ＰＶ  ＰＣＳ１２０及びＳＯＦＣ  ＰＣＳ３２０との間の通信は、前述したECHONET Lite等の通信のプロトコルに準拠した信号フォーマットを用いて行われる。
【０１４６】
また、上述した各実施形態で説明したＰＶシステム１００に代えて、蓄電池システムを使用してもよい。図１１は、上述した実施形態の変更例１に係る給電システムのブロック図である。図１１に示す給電システムは、上述した各実施形態で説明したＰＶシステム１００に代えて蓄電池システム２００を有する。蓄電池システム２００は、蓄電池２１０及び蓄電池ＰＣＳ２２０を有する。蓄電池ＰＣＳ２２０は、蓄電池２１０の放電により得られたＤＣ電力をＡＣに変換するためのＤＣ／ＡＣ変換機能だけでなく、蓄電池２１０を充電するためのＤＣ／ＡＣ変換機能も有する。その他の構成は上述した各実施形態と同様である。上述した各実施形態に係る給電システムにおける停電発生時の動作シーケンスは、図１１に示す給電システムに対して応用可能である。
【０１４７】
さらに、蓄電池システム２００をＰＶシステム１００と併用してもよい。図１２は、上述した実施形態の変更例２に係る給電システムのブロック図である。図１２に示す給電システムは、上述した各実施形態で説明したＰＶシステム１００及びＳＯＦＣシステム３００に加えて蓄電池システム２００を有する。その他の構成は上述した各実施形態と同様である。上述した各実施形態に係る給電システムにおける停電発生時の動作シーケンスは、図１２に示す給電システムに対して応用可能である。
【０１４８】
上述した各実施形態では、ＳＯＦＣシステム３００を本発明に係る燃料電池システムの一例として説明した。しかしながら、例えば、ＰＥＦＣなどの他の方式の燃料電池を用いた燃料電池システムであってもよい。
【０１４９】
上述した各実施形態では、宅内に設けられるエネルギー管理システムであるＨＥＭＳを本発明に係る管理装置の一例として説明した。しかしながら、ビルエネルギー管理システム（ＢＥＭＳ）やコミュニティエネルギー管理システム（ＣＥＭＳ）などを本発明に係る管理装置としてもよい。
【０１５０】
なお、日本国特許出願第２０１１−２３６５１８（２０１１年１０月２７日出願）の全内容が、参照により、本願に組み込まれている。
【産業上の利用可能性】
【０１５１】
本発明によれば、系統の停電時において、複数の分散型電源システムが同時に自立運転を行う場合でも、負荷への電力供給が停止する可能性を低減できる給電システム、分散型電源システム、及び給電制御方法を提供することができる。
【図１】
2013061826.tif 000003
【図２】
2013061826.tif 000004
【図３】
2013061826.tif 000005
【図４】
2013061826.tif 000006
【図５】
2013061826.tif 000007
【図６】
2013061826.tif 000008
【図７】
2013061826.tif 000009
【図８】
2013061826.tif 000010
【図９】
2013061826.tif 000011
【図１０】
2013061826.tif 000012
【図１１】
2013061826.tif 000013
【図１２】
2013061826.tif 000014
【国際調査報告】
2013061826.tif 000015
2013061826.tif 000016